(57)【要約】【課題】コンクリート型枠を取り外したら、そのままで更なるシート等を使用することなくコンクリート面の養生が行われ、コンクリートの品質を向上させるための養生工の省力化が図れるコンクリートの養生方法を提供する。【解決手段】型枠１の内面に養生シート３を貼付してコンクリートを打設し、打設されたコンクリートの硬化後に前記型枠１を解体した後に、前記養生シート３を前記コンクリート４の表面に接着した状態で残置するコンクリートの養生方法であって、前記養生シート３は合成樹脂製シート３ａが積層されたもので、型枠１を解体後は一番上の合成樹脂製シート３ａのみをコンクリート４の表面に接着した状態で残置する。【選択図】  図１
2014020069.tif 000002
【特許請求の範囲】
【請求項１】
型枠の内面に養生シートを貼付してコンクリートを打設し、打設されたコンクリートの硬化後に前記型枠を解体した後に、前記養生シートを前記コンクリートの表面に接着した状態で残置するコンクリートの養生方法であって、前記養生シートは合成樹脂製シートが積層されたもので、型枠を解体後は一番上の合成樹脂製シートのみをコンクリートの表面に接着した状態で残置することを特徴とするコンクリートの養生方法。
【請求項２】
積層させる合成樹脂製シート相互の接着力は合成樹脂製シートコンクリートの表面に接着する接着力よりも弱くした請求項１記載のコンクリートの養生方法。
【請求項３】
合成樹脂製シートは、一般にクリアファイルと称されている書類等を収納するためのファイルに用いる多少の硬さを有するフィルムシートである請求項１または請求項２記載のコンクリートの養生方法。
【発明の詳細な説明】
【技術分野】
【０００１】
本発明は、コンクリートの養生方法に関するものである。
【背景技術】
【０００２】
コンクリート構造物には、コンクリートの硬化後に所定の強度や耐久性を発揮することが要求されている。コンクリートは、硬化中に低温、乾燥、急激な温度変化などの有害な影響を受けると、強度や耐久性が低下する。このため、コンクリート表面を保護して、強度や耐久性を十分に発揮させるべく、養生を行う必要がある。
【０００３】
この種のコンクリートの養生方法では、コンクリート表面を適度な湿潤状態に保つことが望ましく、従来から行われている養生方法は、せき板を長期間存置する方法と、コンクリートが所定の強度になった時点で、せき板を撤去した後に、養生を行う方法とに大別される。
【０００４】
このうち、前者のせき板を長期間存置する養生方法は、型枠の転用が制限されるので、施工性に劣る。加えて、型枠を長期間存置した場合、型枠材（木製）のアク等が付着するため、構造物の美観を損なうおそれがある。
【０００５】
後者のせき板を撤去した後に、養生を行う養生方法には、（１）散水を行って、コンクリート表面を湿潤状態に保つ散水養生方法、（２）コンクリート表面にパラフィンなどで膜を形成し、水の蒸発を防ぐ膜養生方法がある。
【０００６】
（１）の散水を行う養生方法では、散水を適正に行うと、長期間湿潤状態に保つこともできるが、乾燥を避けるためには散水を適宜行わないため、かなりの施工手間を要する。加えて、コンクリートの硬化過程において構造物内部の温度が高い時期に低温の散水を行った場合、構造物の内外温度差が顕著となり、表面にひび割れを発生させる原因となる場合もある。
【０００７】
さらに、（２）の膜養生方法では、コンクリート体の表面に被膜を形成するため、垂直壁状のコンクリート体に採用すると、被膜形成剤が垂れるなどの問題があって、均一な被膜を形成することが難しく、長期間一定の湿潤状態を保つことが困難であった。
【０００８】
そこで、直射日光や風などによる表面の乾燥を防止するために、シートで覆う養生方法が行われ、型枠を取り外した後にビニールシートでコンクリート表面を覆う。
【０００９】
このように、型枠を取り外した後に養生を行うと、作業工程が増えて煩雑になるだけでなく、手間と労力もかかるので、一般に、型枠を取り外した後の養生が、軽くみられる傾向にあって、コンクリートの品質を低下させる一因となっていた。
【００１０】
下記特許文献は、養生作業の省力化が可能になるとともに、コンクリートの品質を向上させることができる養生方法を提供するものとして、型枠の内面に養生シートを貼付してコンクリートを打設し、打設されたコンクリートの硬化後に前記型枠を解体した後に、前記養生シートを前記コンクリートの表面に接着した状態で残置するコンクリートの養生方法である。
【特許文献１】特許第３０４７７９９号公報
【００１１】
この特許文献１によれば、型枠を解体した後に、養生シートをコンクリートの表面に接着した状態で残置し、この養生シートがあるので、コンクリートが暑中下の日射や寒中期の低温などの温度変化から遮断されるとともに、乾燥を防止して、湿潤状態を維持することができる。
【発明の開示】
【発明が解決しようとする課題】
【００１２】
しかし、前記特許文献１においても、養生シートをコンクリートの表面に接着した状態で残置した後での脱型後の型枠は、新たな養生シートを再度内面に貼付してセットしなければならず、型枠の迅速な転用はできなかった。
【００１３】
本発明の目的は前記従来例の不都合を解消し、コンクリート型枠を取り外したら、そのままで更なるシート等を使用することなくコンクリート面の湿潤養生が行われ、コンクリートの品質を向上させるための養生工の省力化が図れるコンクリートの養生方法を提供することにある。
【課題を解決するための手段】
【００１４】
前記目的を達成するため請求項１記載の本発明は、型枠の内面に養生シートを貼付してコンクリートを打設し、打設されたコンクリートの硬化後に前記型枠を解体した後に、前記養生シートを前記コンクリートの表面に接着した状態で残置するコンクリートの養生方法であって、前記養生シートは合成樹脂製シートが積層されたもので、型枠を解体後は一番上の合成樹脂製シートのみをコンクリートの表面に接着した状態で残置することを要旨とするものである。
【００１５】
請求項１記載の本発明によれば、コンクリートの養生のためにビニールシート等でコンクリート表面を覆う作業は煩雑であり、コンクリート型枠を取り外したら、そのままで更なるシート等を使用することなくコンクリート面の湿潤養生が行うことができる。また、コンクリート打設型枠に養生シートを予め取り付けておくことにより、脱型後の封印養生を継続させることが可能となる。
【００１６】
そして、養生シートは、不透水性フィルムタイプでミルフィーユ状に多層に仕込まれているものとすれば、１枚ずつ剥がしていくことで、型枠の転用を複数行うことができる。さらに、型枠面が毎回更新されるので、型枠面の清掃を省略できる。
【００１７】
請求項２記載の本発明は、積層させる合成樹脂製シート相互の接着力は合成樹脂製シートコンクリートの表面に接着する接着力よりも弱くしたことを要旨とするものである。
【００１８】
請求項２記載の本発明によれば、合成樹脂製シートがコンクリートの表面に接着する接着力が積層させる合成樹脂製シート相互の積層の接着力よりもまさるので、型枠を脱型する際に手で積極的に剥がすことなく一番上の合成樹脂製シートが積層から剥がれ、コンクリートの表面側に残置される。いわゆる、手で剥がす行為を行わないですむ。
【００１９】
請求項３記載の本発明は、合成樹脂製シートは、一般にクリアファイルと称されている書類等を収納するためのファイルに用いる多少の硬さを有するフィルムシートであることを要旨とするものである。
【００２０】
請求項３記載の本発明によれば、合成樹脂製シートは、多少の硬さを有するフィルムシートであり、型枠に張り付ける際にシワができるおそれもなく、また、コンクリート打設時においてもコンクリートの流動によってシワができるおそれもない。
【発明の効果】
【００２１】
以上述べたように本発明のコンクリートの養生方法は、コンクリート型枠を取り外したら、そのままで更なるシート等を使用することなくコンクリート面の湿潤養生が行われ、コンクリートの品質を向上させるための養生工の省力化が図れるものである。
【発明を実施するための最良の形態】
【００２２】
以下、図面について本発明の実施の形態を詳細に説明する。図１は本発明のコンクリートの養生方法の１実施形態を示す縦断側面図で、図中１は型枠である。型枠１は合板型枠、鋼製型枠、合成樹脂製型枠のいずれを問わない。合板型枠の場合は、通常あるように、セパレータ２で支承するもので、図示の詳細は省略するが、型枠１の外側には押えとして型枠パイプやバタパイプがホームタイおよび三型リブ座により固定される。
【００２３】
本発明は、型枠１の内面（コンクリート打設側）に養生シート３を貼付しておく。また、養生シート３は、合成樹脂製シート３ａを積層させたものとする。
【００２４】
該合成樹脂製シート３ａとしては、一般にクリアファイルと称されている書類等を収納するためのファイルに用いる多少の硬さを有するフィルムシートを用いる。
【００２５】
合成樹脂製シート３ａの材質は、ポリプロピレン製のフィルムが好適であるが、これに限定されず、例えばポリエチレン、ポリエチレンテレフタレート、塩化ビニル等のフィルムを使用することもできる。
【００２６】
合成樹脂製シート３ａを積層させるに際しては、相互に重ね合わせるだけで接着剤材を使用しなくても静電気により相互に接着するが、ごく弱い接着力の接着剤を介在させてもよい。
【００２７】
また、積層させる合成樹脂製シート３ａの端は切り揃えるが、一枚づつ剥がしやすいように、図３、図４に示すように剥がししろ３ｂを耳として形成してもよい。図３は剥がししろ３ｂ間に隙間を介在させた場合、図４は段違いにして、外側から突出長を多くして順に摘み易くした場合である。この剥がししろ３ｂは多少厚手のシートとして形成するか、紙等の部材で形成する。
【００２８】
合成樹脂製シート３ａを積層させた養生シート３の型枠１の内面への取付方法は特に限定はないが、接着、クリップ止め、ホルダー止め等が考えられる。この取付は型枠１の工場出荷時に行う場合と現場で行う場合の双方があり、現場で行う場合、セパレータ２を使用することに対応できるように型枠１に穴を開けるのに養生シート３にも予めセパレータ２の貫通用の穴をあけておく。
【００２９】
前記内面に養生シート３を貼付した型枠１を用いてコンクリート４を打設し、打設されたコンクリート４の硬化後に前記型枠１を解体する。
【００３０】
その際、積層させる養生シート３の一番上の合成樹脂製シート３ａのみをコンクリートの表面に接着した状態で残置する。コンクリートが硬化する際、コンクリートと合成樹脂製シート３ａとの界面に付着力が発生するからである。
【００３１】
この残置は一番上の合成樹脂製シート３ａのみを手で積層から剥がして、コンクリート４側に貼り付けてもいいが、積層させる養生シート３の合成樹脂製シート３ａ相互の積層の接着力は合成樹脂製シート３ａがコンクリート４の表面に接着する接着力よりも弱くしておけば、手で剥がさなくて、型枠１を脱型する時に、一番上の合成樹脂製シート３ａのみがコンクリート４の表面に接着した状態で残置される。
【００３２】
前記剥がししろ３ｂがある場合は、これを掴んで一番上の合成樹脂製シート３ａを剥がすことができ、また、コンクリート４が硬化して養生の必要がなくなった場合にコンクリート４の表面から合成樹脂製シート３ａを剥がす場合にも剥がししろ３ｂを掴んで行うことができる。
【００３３】
型枠１には残りの合成樹脂製シート３ａが積層した養生シート３が付いており、けれん等の清掃作業を行うことなく、そのまますぐに転用できる。
【図面の簡単な説明】
【００３４】
【図１】本発明のコンクリートの養生方法の１実施形態を示す型枠設置時の縦断側面図である。
【図２】本発明のコンクリートの養生方法の１実施形態を示す型枠脱型後縦断側面図である。
【図３】本発明のコンクリートの養生方法で使用する養生シートの応用例を示す要部の縦断側面図である。
【図４】本発明のコンクリートの養生方法で使用する養生シートの他の応用例を示す要部の縦断側面図である。
【符号の説明】
【００３５】
１…型枠                    ２…セパレータ
３…養生シート              ３ａ…合成樹脂製シート
３ｂ…剥がししろ            ４…コンクリート
【図１】
2014020069.tif 000003
【図２】
2014020069.tif 000004
【図３】
2014020069.tif 000005
【図４】
2014020069.tif 000006